(57)【要約】【課題】選択可能な非サイマル放送の番組を的確に把握して提示することができる放送受信装置を提供する。【解決手段】複数の受信系統のうちの少なくとも一つに受信可能な放送局をスキャンさせる選局制御部８と、スキャンで得られた放送局のうち、同一の放送局の異なる放送形態で異なる番組を放送している放送局を検出する非サイマル放送検出部９と、非サイマル放送検出部９により検出された放送局のうち、受信電界強度が所定の閾値以上の放送局を判別してそのリストデータを生成する比較部１０と、比較部１０が生成したリストデータに基づいて、受信可能な放送局の番組のうち、同一の放送局の異なる放送形態で放送されている番組をリスト表示する表示部１２とを備える。【選択図】図１
2013026902.tif 000002
【特許請求の範囲】
【請求項１】
複数の受信系統を備えた放送受信装置において、
前記複数の受信系統のうちの少なくとも一つに受信可能な放送局をスキャンさせる選局制御部と、
前記スキャンで得られた放送局のうち、同一の放送局の異なる放送形態で異なる番組を放送している放送局を検出する非サイマル放送検出部と、
前記非サイマル放送検出部により検出された放送局のうち、受信電界強度が所定の閾値以上の放送局を判別してそのリストデータを生成する比較部と、
前記比較部が生成したリストデータに基づいて、受信可能な放送局の番組のうち、同一の放送局の異なる放送形態で放送されている番組をリスト表示する表示部とを備えたことを特徴とする放送受信装置。
【請求項２】
前記選局制御部は、予め定めたスキャンタイミングで前記複数の受信系統のうちの少なくとも一つに受信可能な放送局をスキャンさせ、
前記非サイマル放送検出部は、前記スキャンタイミングのスキャンで得られた放送局のうち、同一の放送局の異なる放送形態で異なる番組を放送している放送局を検出し、
前記比較部は、前記非サイマル放送検出部により検出された放送局のうち、受信電界強度が所定の閾値以上の放送局を判別して、判別した放送局で前記リストデータを更新し、
前記表示部は、前記比較部が更新したリストデータに基づいて、前記番組のリスト表示を更新することを特徴とする請求項１記載の放送受信装置。
【請求項３】
前記比較部は、前記非サイマル放送検出部により検出された放送局のうち、受信電界強度が所定の閾値以上の放送局の番組およびその受信電界強度をリストアップしたリストデータを生成し、
前記表示部は、前記比較部が生成したリストデータに基づいて、前記番組とその受信電界強度を示す指標をリスト表示することを特徴とする請求項１または請求項２記載の放送受信装置。
【請求項４】
前記比較部は、前記非サイマル放送検出部により検出された放送局のうち、前回のスキャンから受信電界強度に変化があった放送局を判別して、判別した放送局の番組およびその受信電界強度をリストアップしたリストデータを生成し、
前記表示部は、前記比較部が生成したリストデータに基づいて、前記リスト表示における受信電界強度の指標を更新することを特徴とする請求項３記載の放送受信装置。
【請求項５】
前記表示部は、前記比較部が生成したリストデータに基づいて、受信電界強度が前記所定の閾値未満となった放送局の番組を、受信電界強度が前記閾値以上である放送局の番組とは区別して表示することを特徴とする請求項４記載の放送受信装置。
【発明の詳細な説明】
【技術分野】
【０００１】
この発明は、放送受信装置に関する。
【背景技術】
【０００２】
特許文献１，２には、同一受信周波数（同一放送局）の異なる放送形態で、異なる番組が放送される非サイマル放送の有無を通知する受信装置が提案されている。この装置は、ユーザに対して非サイマル放送の有無を通知することにより、ユーザが番組を選択する際の利便性やその自由度を向上させることが可能である。
【先行技術文献】
【特許文献】
【０００３】
【特許文献１】特開２００８−１４７７０８号公報
【特許文献２】特開２０１０−４５４９４号公報
【発明の概要】
【発明が解決しようとする課題】
【０００４】
しかしながら、特許文献１に係る発明は、固定端末による放送受信を前提としており、車載機器のような移動端末に適用すると、移動体向け放送（ワンセグ放送）の視聴に十分な電界強度を確保できない可能性があるという課題があった。
また、特許文献２に係る発明は、番組の開始時間あるいはその前後で非サイマル放送の有無を通知しており、移動中にバックグラウンドで受信状況が変化した場合、その変化をユーザが認識できないという課題があった。さらに、特許文献２の発明では、非サイマル放送の選択が可能であることが通知されても、視聴に十分な電界強度を確保できているか否かを知ることができない。
【０００５】
この発明は、上記のような課題を解決するためになされたもので、選択可能な非サイマル放送の番組を的確に把握して提示することができる放送受信装置を得ることを目的とする。
【課題を解決するための手段】
【０００６】
この発明に係る放送受信装置は、複数の受信系統を備えた放送受信装置において、複数の受信系統のうちの少なくとも一つに受信可能な放送局をスキャンさせる選局制御部と、スキャンで得られた放送局のうち、同一の放送局の異なる放送形態で異なる番組を放送している放送局を検出する非サイマル放送検出部と、非サイマル放送検出部により検出された放送局のうち、受信電界強度が所定の閾値以上の放送局を判別してそのリストデータを生成する比較部と、比較部が生成したリストデータに基づいて、受信可能な放送局の番組のうち、同一の放送局の異なる放送形態で放送されている番組をリスト表示する表示部とを備えたことを特徴とする。
【発明の効果】
【０００７】
この発明によれば、選択可能な非サイマル放送の番組を的確に把握して提示することができるという効果がある。
【図面の簡単な説明】
【０００８】
【図１】この発明の実施の形態１に係る放送受信装置の構成を示すブロック図である。
【図２】実施の形態１に係る放送受信装置による動作（初回起動時）を示すフローチャートである。
【図３】非サイマル放送の番組リストを表示した画面例を示す図である。
【図４】非サイマル放送の番組リストを表示した別の画面例を示す図である。
【図５】実施の形態１に係る放送受信装置による動作（スキャンタイミングごとの動作）を示すフローチャートである。
【図６】受信電界強度を含む非サイマル放送の番組リストを表示した画面例を示す図である。
【図７】受信電界強度を含む非サイマル放送の番組リストを表示した別の画面例を示す図である。
【発明を実施するための形態】
【０００９】
実施の形態１．
図１は、この発明の実施の形態１に係る放送受信装置の構成を示すブロック図であり、アンテナ２ａとチューナ部３ａを含む受信系統、およびアンテナ２ｂとチューナ部３ｂを含む受信系統を備えた場合を示している。なお、この発明は、アンテナとチューナ部を含む受信系統を２つ以上備えていればよい。図１において、実施の形態１に係る放送受信装置１は、アンテナ２ａ，２ｂ、チューナ部３ａ，３ｂ、分離部４、演算・制御部５、メモリ６、および表示・操作部７を備える。
チューナ部３ａは、通常の受信動作として、ユーザが選局した放送局またはメモリ６にプリセットされた受信可能な局からの放送信号を、アンテナ２ａで受信して復調した復調信号を出力する。この復調信号は、後段の機能部により誤り訂正されて、トランスポートストリーム（ＴＳ）が再生される。このＴＳ信号から映像・音声データが分離され、分離後の映像・音声データが復号され、ユーザに提示される。
一方、チューナ部３ｂは、アンテナ２ｂを介して受信可能な放送局を定期的にバックグラウンドでスキャンを行う。分離部４は、チューナ部３ｂにより受信され復調された受信バンド内の各周波数の復調信号から番組情報を分離し、チューナ部３ｂから当該受信信号の受信電界強度を読み出して、その値をメモリ６に保存する。
【００１０】
演算・制御部５は、チューナ部３ａ，３ｂを用いた受信動作を制御する機能部であり、選局制御部８、非サイマル放送検出部９、および比較部１０を備える。
選局制御部８は、チューナ部３ａ，３ｂの選局動作を制御する機能部である。例えば、操作部１１を用いて指定されたチャンネルへの選局をチューナ部３ａに指示する。
非サイマル放送検出部９は、メモリ６に保存された番組情報に基づいて、アンテナ２ｂで受信可能な放送局のうち、同一受信周波数（同一放送局）の異なる放送形態で、異なる番組が放送される非サイマル放送を行っている放送局を検出する機能部である。
比較部１０は、メモリ６に保存した受信電界強度を所定の閾値とそれぞれ比較し、当該閾値以上の受信電界強度の番組を受信電界強度が高い順にリストアップしたリストデータを生成する。
【００１１】
メモリ６は、受信した放送の復調信号から分離された番組情報、およびその受信電界強度のリストを記憶する記憶部である。なお、番組情報には、例えば、電子番組表（ＥＰＧ（Electric Program Guide）情報）があり、この電子番組表を基にして非サイマル放送の有無が検出される。移動体向けのデジタル放送（ワンセグ放送）などにおいて、放送局による独自の番組コンテンツが非サイマル放送で提供されている。
【００１２】
表示・操作部７は、受信可能な番組のリストを表示して、ユーザに選局させるＨＭＩ（Human Mchine Interface）を提供する機能部であり、操作部１１および表示部１２を備える。操作部１１は、外部からの入力操作を受け付ける機能部であり、ハードキーやタッチパネル、これらを用いた入力処理を行うためのソフトウェアから構成される。また、この操作部１１を用いて、ユーザは、表示部１２の画面の一部に表示された受信可能な非サイマル放送の番組リストから、ユーザが所望の番組を選択することができる。
表示部１２は、演算・制御部５による処理で得られた表示データを表示する機能部であり、液晶モニタなどの表示装置およびその表示処理を行うためのソフトウェアから構成される。特に、表示部１２は、受信可能な番組のリスト表示や、その受信電界強度のリストを表示する。
【００１３】
次に動作について説明する。
（１）初回起動時
図２は、実施の形態１に係る放送受信装置による動作を示すフローチャートであって、放送受信装置１の初回起動時における動作を示している。
まず、放送受信装置１が起動すると、選局制御部８が、チューナ部３ｂに対して受信可能な放送局のバックグラウンドでのスキャンを指示する。チューナ部３ｂは、選局制御部８からの指示に従って、アンテナ２ｂを介して受信可能な放送局のスキャンを開始する（ステップＳＴ１）。次に、分離部４は、チューナ部３ｂが受信して復調した復調信号から番組情報を分離するとともに、当該信号の受信電界強度を読み出してメモリ６に保存する（ステップＳＴ２）。
【００１４】
非サイマル放送検出部９は、チューナ部３ｂによる直近のスキャンでメモリ６に保存された番組情報に基づいて、受信可能な放送局における非サイマル放送の有無を検出する（ステップＳＴ３）。例えば、ワンセグ放送の番組情報に含まれるＥＰＧ情報に基づいて、同一の放送局、すなわち同一の放送チャンネルで放送され、かつ放送日時が同一の番組のうち、番組名が異なる番組を非サイマル放送の番組と判断する。
【００１５】
次いで、比較部１０は、チューナ部３ｂによる直近のスキャンでメモリ６に保存された非サイマル放送における受信電界強度を所定の閾値と比較して、当該閾値以上の受信電界強度の番組を判別する（ステップＳＴ４）。所定の閾値は、アンテナ３ａ，３ｂで受信可能な電界強度の下限値であり、例えば、受信状況が悪化して完全に受信が途絶える前に、バックグラウンドでスキャンした非サイマル放送に切り替えられるように、受信可能な電界強度の下限値に余裕度を加味した値であってもよい。なお、上記閾値は、操作部１１を用いたユーザからの設定などで変更可能であってもよい。
【００１６】
続いて、比較部１０は、ステップＳＴ４で受信電界強度が閾値以上となった非サイマル放送の番組を、受信電界強度が高い順に並べたリストデータを作成する（ステップＳＴ５）。このリストデータは、表示・操作部７の表示部１２へ送られる。
表示部１２は、演算・制御部５で生成されたリストデータで、現在表示中の画面内容を更新する（ステップＳＴ６）。すなわち、チューナ部３ｂによる直近のスキャンで、メモリ６の受信可能な番組の番組情報が更新される度に、表示部１２が表示する受信可能な非サイマル放送の番組リストが更新される。
【００１７】
図３は、非サイマル放送の番組リストを表示した画面例を示す図であり、フルセグ放送とワンセグ放送（１Ｓｅｇ．）における非サイマル放送の番組リストの表示例を示している。図３では、表示部１２でチャンネル１（１ｃｈ）（○○放送局）の旅行番組をフルセグ放送で視聴している際に、受信可能な非サイマル放送の番組リスト１３を、画面１２Ａの端部に表示している。ここでは、現在視聴中のチャンネル１（１ｃｈ）（○○放送局）での非サイマル放送として、チャンネル１（１ｃｈ）で“料理番組”が放送されている。
【００１８】
また、現在視聴しているチャンネル以外にも受信可能な非サイマル放送があれば、その番組もリストアップされる。ユーザは、タッチパネルでの番組欄のタッチなどやハードキーでの選択などの操作部１１を用いた操作により、表示部１２の画面１２Ａに表示された番組リスト１３から所望の番組を選択することができる。これにより、ユーザによる番組選択の自由度を向上させることができる。
なお、表示の際、受信可能な番組がどのような放送形態であるかを通知してもよい。例えば、図３に示す番組リスト１３では、チャンネル３（３ｃｈ）の放送形態がフルセグ放送で“サッカー”が視聴でき、ワンセグ放送で“野球”が視聴できる。
【００１９】
図４は、非サイマル放送の番組リストを表示した別の画面例を示す図であり、図３と同様にフルセグ放送とワンセグ放送（１Ｓｅｇ．）における非サイマル放送の番組リストの表示例を示している。図４では、表示部１２が、カーナビゲーションシステムのルート案内の地図画面１２Ｂに、非サイマル放送の番組リスト１３を表示している。
このように、実施の形態１に係る放送受信装置１は、他の車載機器と表示部１２を共用する場合であっても、受信した放送を視聴するモードが設定されると、表示部１２の画面端部に番組リスト１３を表示する。
【００２０】
（２）スキャンタイミングごとの動作
図５は、実施の形態１に係る放送受信装置による動作を示すフローチャートであり、スキャンタイミングごとの動作を示している。
図２に示した初回起動時の動作の後、選局制御部８は、スキャンタイミングの待ち状態に移行する（ステップＳＴ１ａ）。ここで、スキャンタイミングとは、チューナ部３ｂでバックグラウンドのスキャンを行うタイミングである。例えば、前回のスキャンから所定の時間が経過した場合（所定の時間周期）、または、受信バンドの電界強度が視聴可能と判断される閾値（受信した放送が所定の画質及び音質で視聴できる受信電界強度の下限値）に到達した場合、あるいは、車速パルスに基づく車速およびＧＰＳによる自車位置から周辺の受信環境が変化したと予想される所定の距離だけ移動した場合（所定の距離周期）が考えられる。
【００２１】
スキャンタイミングになると、選局制御部８は、チューナ部３ｂに対して、初回起動時にメモリ６に保存した番組の放送局のスキャンを行うよう指示する。チューナ部３ｂは、アンテナ２ｂを介して、選局制御部８からの指示された放送局のスキャンを開始する（ステップＳＴ２ａ）。次に、分離部４は、チューナ部３ｂが受信して復調した復調信号から番組情報を分離するとともに、当該信号の受信電界強度を読み出してメモリ６に保存する（ステップＳＴ３ａ）。
非サイマル放送検出部９は、ステップＳＴ３ａでメモリ６に保存された番組情報に基づいて、メモリ６に番組情報が保存された放送局における非サイマル放送の有無を検出する（ステップＳＴ４ａ）。なお、非サイマル放送の有無の検出は、図２のステップＳＴ３の場合と同様である。
【００２２】
次に、比較部１０は、ステップＳＴ３ａでメモリ６に保存された非サイマル放送の番組の受信電界強度と前回のスキャンでの受信電界強度とを比較して、受信電界強度に変化があるか否かを判定する（ステップＳＴ５ａ）。前回（初回起動時を含む）のスキャンから受信電界強度に変化がなければ（ステップＳＴ５ａ；ＮＯ）、ステップＳＴ１ａに戻る。
前回のスキャンから受信電界強度に変化がある場合（ステップＳＴ５ａ；ＹＥＳ）、比較部１０は、表示部１２において受信電界強度付きの非サイマル放送の番組リストを表示しているか否かを判定する（ステップＳＴ６ａ）。受信電界強度付きの非サイマル放送の番組リストを表示していない場合（ステップＳＴ６ａ；ＮＯ）、ステップＳＴ９ａへ移行する。
【００２３】
受信電界強度付きの非サイマル放送の番組リストを表示している場合（ステップＳＴ６ａ；ＹＥＳ）、比較部１０は、ステップＳＴ３ａでメモリ６に保存された非サイマル放送の番組の受信電界強度で、メモリ６に保存されている非サイマル放送の番組リストデータにおける受信電界強度を更新する（ステップＳＴ７ａ）。更新後の受信電界強度が、次回のスキャンにおいて、ステップＳＴ５ａで前回のスキャンでの受信電界強度として使用される。
【００２４】
更新後のリストデータは、比較部１０から表示部１２へ送られる。これにより、表示部１２は、更新後の受信電界強度付きの非サイマル放送の番組リストを表示する（ステップＳＴ８ａ）。図６は、受信電界強度を含む非サイマル放送の番組リストを表示した画面例を示す図であり、フルセグ放送とワンセグ放送（１Ｓｅｇ．）における非サイマル放送の番組リストの表示例を示している。図６において、表示部１２は、カーナビゲーションシステムのルート案内の地図画面１２Ｃに、受信電界強度付きの非サイマル放送の番組リスト１３Ａを表示している。すなわち、表示部１２が、比較部１０から入力した非サイマル放送の番組およびその受信電界強度を含むリストデータに基づいて、各放送局の非サイマル放送の番組についての受信電界強度を示すインジケータ１４を含む番組リスト１３Ａを、地図画面１２Ｃの端部に表示する。
このようにすることで、ユーザに対して受信状況の良否を明瞭に示すことができる。なお、ステップＳＴ５ａで受信電界強度に変化があった番組については、インジケータ１４の強度表示が更新される。
また、図６に示すインジケータ１４は、受信電界強度を棒グラフで示す指標であるが、受信電界強度の大小を視認できるものであれば、どのような表示形態であってもよい。
【００２５】
ステップＳＴ９ａにおいて、比較部１０は、ステップＳＴ５ａで前回からの変化が検出された非サイマル放送の番組の受信電界強度と所定の閾値を比較して当該閾値以上であるか否かを判定する。なお、上記閾値は、例えば、図３のステップＳＴ４と同様に、アンテナ３ａ，３ｂで受信可能な電界強度の下限値である。
非サイマル放送の番組の受信電界強度が所定の閾値未満である場合（ステップＳＴ１０ａ；ＮＯ）、ステップＳＴ１ａに戻る。
【００２６】
一方、非サイマル放送の番組の受信電界強度が所定の閾値以上であれば（ステップＳＴ１０ａ；ＹＥＳ）、比較部１０は、ステップＳＴ３ａでメモリ６に保存された非サイマル放送の番組およびその受信電界強度で、メモリ６に保存された非サイマル放送の番組リストデータを更新する（ステップＳＴ１１ａ）。すなわち、前回のスキャンではリストアップされていなかった非サイマル放送の番組が、受信状況の変化によって受信可能になると、当該番組およびその受信電界強度を追加する更新が行われる。
更新後のリストデータは、比較部１０から表示部１２へ送られる。これにより、表示部１２は、更新後の受信電界強度付きの非サイマル放送の番組リストを表示する（ステップＳＴ１２ａ）。
【００２７】
上述したように、予め定めたスキャンタイミングごとにバックグラウンドでスキャンを行い、受信可能と判定された非サイマル放送の番組を、その受信電界強度とともにリスト表示するので、ユーザが、放送を現在視聴中の放送局の他に、これ以外の放送局における非サイマル放送の受信状況の良否を知ることができ、選局の自由度を向上できる利点がある。
【００２８】
なお、チューナ部３ｂによるスキャン動作は予め定めたスキャンタイミングごとに行われるため、バックグラウンドでのスキャンを行わない間は、ラジオ放送の受信、システムや交通情報などのデータ放送の受信またはダイバーシティによる放送受信など、他の動作を行うことができる。
【００２９】
また、上述の説明では、ステップＳＴ５ａで前回から変化があると判定された受信電界強度に関するデータを、表示・操作部７の表示部１２に表示した上で、メモリ６にプリセットする場合を示したが、ステップＳＴ７ａでは受信電界強度の表示を更新のみでメモリ６に保存せず、ステップＳＴ１０ａで閾値以上となった場合に保存してもよい。
【００３０】
図７は、受信電界強度を含む非サイマル放送の番組リストを表示した別の画面例を示す図であり、フルセグ放送とワンセグ放送（１Ｓｅｇ．）における非サイマル放送の番組リストの表示例を示している。図７では、表示部１２が、カーナビゲーションシステムのルート案内の地図画面１２Ｄに、受信電界強度付きの非サイマル放送の番組リスト１３Ｂを表示している。
図５のステップＳＴ９ａにおいて、番組リスト１３Ｂにアップされている番組のうち、受信電界強度が下位に位置する番組について、その受信電界強度が上記閾値未満になったと判定された場合に、表示・操作部７が、その旨をユーザに提示してもよい。
例えば、図７に示すように、閾値未満の受信電界強度の番組欄を暗色で表示するなど、現在、良好な受信が不可であることを、他の番組欄と区別して表示する。このようにすることで、ユーザに対して受信可否を明瞭に示すことができる。
【００３１】
以上のように、この実施の形態１によれば、複数の受信系統のうちの少なくとも一つに受信可能な放送局をスキャンさせる選局制御部８と、スキャンで得られた放送局のうち、同一の放送局の異なる放送形態で異なる番組を放送している放送局を検出する非サイマル放送検出部９と、非サイマル放送検出部９により検出された放送局のうち、受信電界強度が所定の閾値以上の放送局を判別してそのリストデータを生成する比較部１０と、比較部１０が生成したリストデータに基づいて、受信可能な放送局の番組のうち、同一の放送局の異なる放送形態で放送されている番組をリスト表示する表示部１２とを備える。このように構成することで、選択可能な非サイマル放送の番組を的確に把握して提示することができる。
【００３２】
また、この実施の形態１によれば、選局制御部８が、予め定めたスキャンタイミングで複数の受信系統のうちの少なくとも一つに受信可能な放送局をスキャンさせ、非サイマル放送検出部９が、スキャンタイミングのスキャンで得られた放送局のうち、同一の放送局の異なる放送形態で異なる番組を放送している放送局を検出し、比較部１０が、非サイマル放送検出部９により検出された放送局のうち、受信電界強度が所定の閾値以上の放送局を判別して、判別した放送局でリストデータを更新し、表示部１２が、比較部１０が更新したリストデータに基づいて、番組のリスト表示を更新する。
このようにすることで、バックグラウンドでのスキャンを行わない間は、ラジオ放送の受信、システムや交通情報などのデータ放送の受信またはダイバーシティによる放送受信など、他の動作を行うことができる。
【００３３】
さらに、この実施の形態１によれば、比較部１０が、非サイマル放送検出部９により検出された放送局のうち、受信電界強度が所定の閾値以上の放送局の番組およびその受信電界強度をリストアップしたリストデータを生成し、表示部１２が、比較部１０が生成したリストデータに基づいて、番組とその受信電界強度を示す指標をリスト表示する。このようにすることで、ユーザに対して受信状況の良否を明瞭に示すことができる。
【００３４】
さらに、この実施の形態１によれば、比較部１０が、非サイマル放送検出部９により検出された放送局のうち、前回のスキャンから受信電界強度に変化があった放送局を判別して、判別した放送局の番組およびその受信電界強度をリストアップしたリストデータを生成し、表示部１２が、比較部１０が生成したリストデータに基づいて、リスト表示における受信電界強度の指標を更新する。このようにすることで、ユーザに対して受信状況の変化を明瞭に示すことができる。
【００３５】
さらに、この実施の形態１によれば、表示部１２が、比較部１０が生成したリストデータに基づいて、受信電界強度が所定の閾値未満となった放送局の番組を、受信電界強度が閾値以上である放送局の番組とは区別して表示するので、ユーザに対して受信可否を明瞭に示すことができる。
【００３６】
上記実施の形態１では、２つのチューナ部３ａ，３ｂを使用してデジタルテレビ放送を受信する構成を示したが、本発明は、アナログテレビとデジタルテレビでの非サイマル放送や、アナログラジオとデジタルラジオでの非サイマル放送についても適用可能である。
【００３７】
なお、本発明はその発明の範囲内において、実施の形態の任意の構成要素の変形、もしくは実施の形態の任意の構成要素の省略が可能である。
【符号の説明】
【００３８】
１  放送受信装置、２ａ，２ｂ  アンテナ、３ａ，３ｂ  チューナ部、４  分離部、５  演算・制御部、６  メモリ、７  表示・操作部、８  選局制御部、９  非サイマル放送検出部、１０  比較部、１１  操作部、１２  表示部、１２Ａ〜１２Ｄ  表示画面、１３  番組リスト、１３Ａ  受信電界強度付き番組リスト、１３Ｂ  受信不可の番組、１４  受信電界強度のインジケータ。
【図１】
2013026902.tif 000003
【図２】
2013026902.tif 000004
【図３】
2013026902.tif 000005
【図４】
2013026902.tif 000006
【図５】
2013026902.tif 000007
【図６】
2013026902.tif 000008
【図７】
2013026902.tif 000009